【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
ａ）熱源から熱を受け取る一次熱交換器、
ｂ）ヒートシンクに熱を排出する二次熱交換器、
ｃ）一次熱交換器と二次熱交換器とを接続する導管、
ｄ）導管を介して一次熱交換器と二次熱交換器の間で熱交換流体をポンピングする動電式ポンプであって、更に、
１対の互いに離れた電極のキャパシタンスが、少なくとも１０-４ファラッド／ｃｍ２であり、
電極間に多孔性の誘電性材料を備える動電式ポンプ、及び
ｅ）動電式ポンプに備えられた流量制御コントローラであって、
その流量制御コントローラにより、動電式ポンプが周期的なモードで運転され、
一方の周期では最初の方向に向かって流体が流れ、他の周期では２番目の方向に向かって流体が流れる流量制御コントローラ、
を備える熱伝導システム。
【請求項２】
熱交換器と導管の内部に熱交換流体を更に含む、請求項１に記載の熱伝導システム。
【請求項３】
複数の一次熱交換器、及び
導管により、２つの二次熱交換器とそれぞれの一次熱交換器の反対側が接続される複数の二次熱交換器を更に備え、
複数の一次熱交換器と複数の二次熱交換器が、導管により単一流路に沿って直列接続されており、且つ
複数の一次熱交換器と複数の二次熱交換器が、熱的に並列に動作する請求項１に記載の熱伝導システム。
【請求項４】
熱交換流体が水を含む請求項１に記載の熱伝導システム。
【請求項５】
熱交換流体が多相で使用される請求項１に記載の熱伝導システム。
【請求項６】
ａ）１対の互いに離れた電極のキャパシタンスが少なくとも１０４ファラッド／ｃｍ２であり、電極間に多孔性の誘電性材料を備える動電式ポンプ、
ｂ）熱を受け取る手段、
ｃ）熱を放出する手段、
ｄ）熱を受け取る手段と熱を放出する手段とを連結する導管であって、動電式ポンプにも連結されている導管、及び
ｅ）動電式ポンプに備えられた流量制御コントローラであって、
ポンプにより、導管を介して熱を受け取る手段と熱を放出する手段の間で熱交換流体がポンピングされ、流量制御コントローラにより、動電式ポンプが周期的なモードで運転され、一方の周期では、流体が最初の方向に向かって流れ、他の周期では、流体が２番目の方向に向かって流れる流量制御コントローラを備える熱伝導システム。
【請求項７】
熱交換流体が水を含む請求項６に記載の熱伝導システム。
【請求項８】
動電式ポンプが電解液を更に含み、熱交換流体が柔軟な部材によって電解液から分離されている請求項６に記載の熱伝導システム。
【請求項９】
熱を除去する方法であって、
ａ）第１の熱源から熱を受け取る第１の一次熱交換器、
ｂ）第１及び第２のヒートシンクに熱を放出する第１及び第２の二次熱交換器、
ｃ）第２の熱源から熱を受け取る第２の一次熱交換器、
ｄ）第３及び第４のヒートシンクに熱を放出する第３及び第４の二次熱交換器、
ｅ）第１及び第２の二次熱交換器と第１の一次熱交換器の反対側と、第３及び第４の二次熱交換器と第２の一次交換機の反対側とを接続する導管、
ｆ）一次熱交換器と二次熱交換器の間の熱交換流体を導管を介してポンピングするための、導管に接続された動電式ポンプであって、更に、１対の互いに離れた電極のキャパシタンスが少なくとも１０-４ファラッド／ｃｍ２であり、電極間に多孔性の誘電性材料を備える動電式ポンプ、
ｇ）動電式ポンプに備えられた流量制御コントローラ、及び
ｈ）熱交換器及び導管内の熱交換流体、
から構成される装置を用い、
複数の一次熱交換器を第１及び第２の熱源との間で熱伝導を行なうように配置し、
複数の二次熱交換器を、第１、第２、第３、第４のヒートシンクとの間で熱伝導を行なうように配置し、
ポンプを作動させて、第１の一次熱交換器内の流体を第１の二次熱交換器に、導管を介して第１の方向に移動させ、第２の二次熱交換器内の流体を第１の一次熱交換器へ、第２の一次熱交換器内の流体を第３の二次熱交換器へ、第４の二次熱交換器の流体を第２の一次熱交換器へ移動させ、そして
ポンプを作動させて、第１の一次熱交換器内の流体を第２の二次熱交換器に、導管を介して第２の方向に移動させ、第１の二次熱交換器内の流体を第１の一次熱交換器へ、第２の一次熱交換器内の流体を第４の二次熱交換器へ、第３の二次熱交換器の流体を第２の一次熱交換器へ移動させること
を含む熱を除去する方法。
【請求項１０】
第１、第２、第３、第４のヒートシンクのうち少なくとも２つが、同一のヒートシンクである請求項９に記載の熱を除去する方法。
【請求項１１】
第１の熱源と第２の熱源が同一である請求項９に記載の熱を除去する方法。
【請求項１２】
導管が、更に第１及び第３の二次熱交換器同士を接続し、第２及び第４の二次熱交換器同士を接続する装置であって、
ポンプを作動させて、流体を第１の方向に移動させるステップにおいて、更に、流体を第１の二次熱交換器から第４の二次熱交換器に、流体を第３の二次熱交換器から第２の二次熱交換器へ移動させるステップと、そして
ポンプを作動させて、流体を第２の方向に移動させるステップにおいて、更に、流体を第４の二次熱交換器から第１の二次熱交換器に、流体を第２の二次熱交換器から第３の二次熱交換器へ移動させるステップからなる、請求項９に記載の熱を除去する方法。
【請求項１３】
ａ）第１の熱源から熱を受け取る第１の一次熱交換器、
ｂ）第１及び第２のヒートシンクに熱を放出する第１及び第２の二次熱交換器、
ｃ）第２の熱源から熱を受け取る第２の一次熱交換器、
ｄ）第３及び第４のヒートシンクに熱を放出する第３及び第４の二次熱交換器、
ｅ）第１及び第２の二次熱交換器と第１の一次熱交換器の反対側と、第３及び第４の二次熱交換器と第２の一次交換機の反対側とを接続する導管、
ｆ）導管を介して一次熱交換器と二次熱交換器の間の熱交換流体をポンピングするために、導管に接続された動電式ポンプ、及び
ｇ）動電式ポンプに備えられた流量制御コントローラであって、
流量制御コントローラにより動電式ポンプが周期的なモードで運転され、一方の周期では最初の方向に動作し、第２の周期では２番目の方向に動作する流量制御コントローラ、
から構成される熱伝導システム。
【請求項１４】
導管が、更に、第１及び第３の二次熱交換器同士を接続し、第２及び第４の二次熱交換器同士を接続する請求項１３に記載の熱伝導システム。
【請求項１５】
第１、第２、第３、第４のヒートシンクのうち少なくとも２つが、同一のヒートシンクである請求項１３に記載の熱伝導システム。
【請求項１６】
第１の熱源と第２の熱源が同一である請求項１３に記載の熱伝導システム。
【手続補正２】
【補正対象書類名】明細書
【補正対象項目名】００２１
【補正方法】変更
【補正の内容】
【００２１】
好適には、電極材料は電解液に溶解せず、電解液の導電性よりも有意に大きい導電性、少なくとも電解液の１００倍の導電性を有する。例えば、カーボンエーロゲル発泡材の導電性は、約１００ｍｈｏ／ｃｍであり、代表的な電解液である５ｍＭのＮａＣｌの導電性は約０．５ｘ１０−３ｍｈｏ／ｃｍである。電極は好ましくは洗浄し、必要に応じて使用前に浸出処理する。多孔質電極は、このような処理の後に脱ガス処理をすることが好ましい。
流量が、例えば１ｍＬ/ｍｉｎ以上の大きな流量であっても、電極は、ポンプ流体を電気分解することなく、あるいはｐＨを大きく変化させることなく、要求される電流を供給できるものが望ましい。ポンプ流体の大きなｐＨ変化を防止するためには、電極と流体間の電圧低下が、ファラデーの電気化学反応の閾値、水の場合約１．２Ｖ、を超えないようにすることで達成される。
電極の二重層キャパシタンスあるいは擬似キャパシタンスは、大半のファラデー処理が始まる前に充電されるのが好ましい。金属表面（例えば、引き込まれた金属ワイヤ）の代表的な二重層キャパシタンスの値は、２０〜３０μファラッド／ｃｍ２である。この値は、電気化学分野でよく知られる方法（例えば、粗面処理、表面エッチング、白金めっき）により大幅に増やすことが出来る。電極の二重層キャパシタンスは、少なくとも１０-４ファラッド／ｃｍ２、少なくとも１０-２ファラッド／ｃｍ２であることが更に好ましい。
ポンプサイクルの前半において電極の二重層キャパシタンスに充電する場合、所定の流量を生じる電流が電極に加えられるのが好ましい。これによりファラデー処理が始まる前に、適用される電界の極性が変化する。従って、電極の二重層キャパシタンスの放電と、その後の逆の極性を有する電極の再充電がなされ、ポンプサイクルの後半でポンプ流量が逆方向となる。
任意選択的に、ポンプの運転中に電解液を電極に流す。電極に電解液を流すには、電極の幾何学的表面積の少なくとも２５％、好ましくは５０％が開放されていること、及び／又は電極材料の透過性が、導管内の多孔質導電媒体の透過性の少なくとも１０倍、特に少なくとも１００倍であることが望ましい。このような電極は、電極に電解液を流す必要がない場合も使用できる。多くの場合、電極が十分な強度を有するように、電極の厚さは少なくとも０．５ｍｍ、好ましくは少なくとも１ｍｍ、特に少なくとも２ｍｍである。